(57)【特許請求の範囲】
【請求項１】
無線通信端末に対して複数のコンテンツを同時に送信する無線通信システムであって、
前記無線通信端末との接続回線の状態に基づき、前記複数のコンテンツ毎の送信伝送容量を割当てる割当手段と、
前記割当てた送信伝送容量に応じて、前記複数のコンテンツを多重化して送信する送信手段と、
を備え、
前記割当手段は、所定のコンテンツを他のコンテンツよりも優先して割当て、残った送信伝送容量に前記他のコンテンツを割当てることを特徴とする無線通信システム。
【請求項２】
無線通信端末に対して複数のコンテンツを同時に送信する無線通信方法であって、
前記無線通信端末との接続回線の状態に基づき、前記複数のコンテンツ毎の送信伝送容量を割当てる過程と、
前記割当てた送信伝送容量に応じて、前記複数のコンテンツを多重化して送信する過程と、
を有し、
前記割当てる過程は、所定のコンテンツを他のコンテンツよりも優先して割当て、残った送信伝送容量に前記他のコンテンツを割当てることを特徴とする無線通信方法。
【請求項３】
無線通信端末に対して複数のコンテンツを同時に送信するためのコンピュータプログラムであって、
前記無線通信端末との接続回線の状態に基づき、前記複数のコンテンツ毎の送信伝送容量を割当てる過程と、
前記割当てた送信伝送容量に応じて、前記複数のコンテンツを多重化して送信する過程と、
をコンピュータに実行させ、
前記割当てる過程は、所定のコンテンツを他のコンテンツよりも優先して割当て、残った送信伝送容量に前記他のコンテンツを割当てることを特徴とするコンピュータプログラム。
【請求項４】
複数のコンテンツを同時に受信する無線通信端末であって、
無線通信の接続回線の状態に基づき、前記複数のコンテンツ毎の送信伝送容量の割当てを要求する手段を備え、
前記手段は、所定のコンテンツを他のコンテンツよりも優先して割当て、残った送信伝送容量に前記他のコンテンツを割当てるように要求することを特徴とする無線通信端末。
【発明の詳細な説明】
【０００１】
【発明の属する技術分野】
本発明は、無線通信網を介して所定のコンテンツを無線通信端末にダウンロードするための無線通信システム及び方法、コンピュータプログラム、無線通信端末に関する。
【０００２】
【従来の技術】
近年、通信レートの向上や通信コストの低減に伴い、無線通信によるコンテンツのダウンロードが普及し始めている。このダウンロードの方法としては、ダウンロードした後でデータを再生する他、いわゆるストリーミング配信も可能である。ところで、現状では、一度にダウンロード可能なコンテンツは１種類であり、又、ダウンロードの際のデータ通信帯域幅（伝送容量）も固定されているのが通常である。
【０００３】
【発明が解決しようとする課題】
しかしながら、上記した方法でダウンロードを行う場合、次のような問題がある。例えば、ストリーミングのダウンロードを適切に行うには、所定の帯域幅（８０ｋｂｐｓ等）が必要であるが、通信網によってはこの帯域幅を超えてデータ送信が可能な場合もある（３８４ｋｂｐｓ通信等）。ところが、ストリーミング配信を３８４ｋｂｐｓの高速で行ったとしても、受信端末側の再生速度の限界からメリットが少ない場合が多い。
【０００４】
つまり、従来の技術では、複数のコンテンツを同時に送信できず、無線通信網のデータ通信帯域幅を有効に活用することができないという問題がある。一方で、無線通信では、端末の位置によっては回線状態が悪化することがある。このような状況で複数のコンテンツを同時に送信した場合、送信品質が低下し、特にストリーミングデータの再生に遅延が生じるという不都合が生じる。
【０００５】
本発明は、上記した問題点に鑑みてなされたもので、回線状態に応じて複数のコンテンツを同時に送信することで、無線通信網の伝送容量を有効活用し、ユーザの利便性も向上させることが可能な無線通信システム及び方法、コンピュータプログラム、無線通信端末を提供することを目的とする。
【０００６】
【課題を解決するための手段】
上記した目的を達成するために、以下の手段を採用した。
本発明に係る無線通信システムは、無線通信端末に対して複数のコンテンツを同時に送信し、前記無線通信端末との接続回線の状態に基づき、前記複数のコンテンツ毎の送信伝送容量を割当てる割当手段と、前記割当てた送信伝送容量に応じて、前記複数のコンテンツを多重化して送信する送信手段と、を備え、前記割当手段は、所定のコンテンツを他のコンテンツよりも優先して割当て、残った送信伝送容量に前記他のコンテンツを割当てることを特徴とする。
このようにすると、接続回線の状態に基づいて、複数のコンテンツにそれぞれ最適の送信伝送容量を割当てて無線通信端末に送信するので、接続回線の伝送容量を有効活用し、ユーザに複数のコンテンツを同時に送信することができる。
【００１０】
本発明に係る無線通信方法は、無線通信端末に対して複数のコンテンツを同時に送信し、前記無線通信端末との接続回線の状態に基づき、前記複数のコンテンツ毎の送信伝送容量を割当てる過程と、前記割当てた送信伝送容量に応じて、前記複数のコンテンツを多重化して送信する過程と、を有し、前記割当てる過程は、所定のコンテンツを他のコンテンツよりも優先して割当て、残った送信伝送容量に前記他のコンテンツを割当てることを特徴とする。
【００１１】
本発明に係るコンピュータプログラムは、無線通信端末に対して複数のコンテンツを同時に送信するためのものであって、前記無線通信端末との接続回線の状態に基づき、前記複数のコンテンツ毎の送信伝送容量を割当てる過程と、前記割当てた送信伝送容量に応じて、前記複数のコンテンツを多重化して送信する過程と、をコンピュータに実行させ、前記割当てる過程は、所定のコンテンツを他のコンテンツよりも優先して割当て、残った送信伝送容量に前記他のコンテンツを割当てることを特徴とする。
【００１２】
本発明に係る無線通信端末は、複数のコンテンツを同時に受信する無線通信端末であって、無線通信の接続回線の状態に基づき、前記複数のコンテンツ毎の送信伝送容量の割当てを要求する手段を備え、前記手段は、所定のコンテンツを他のコンテンツよりも優先して割当て、残った送信伝送容量に前記他のコンテンツを割当てるように要求することを特徴とする。
【００１６】
【発明の実施の形態】
以下、本発明の実施の形態について、各図を参照して説明する。図１は、本発明にかかる無線通信システム（以下、適宜「本システム」という）５０の一実施の形態を示す構成ブロック図である。
【００１７】
この図において、本システム５０は、複数の基地局２０、２２…と、各基地局を管理するとともにインターネット等のネットワーク８０に接続された制御局１０とを備える。制御局１０は、システム全体を制御する制御手段（割当手段、送信手段）２、無線通信端末７０に送信するコンテンツに関する情報を格納するコンテンツ割当テーブル４、ネットワーク８０あるいは基地局２０、２２との情報の送受信を行う通信Ｉ/Ｆ（送信手段）６を備えている。制御手段２は、所定の中央演算処理装置（ＣＰＵ）等からなる。
【００１８】
なお、本発明において「無線通信システム」という場合、基地局を除く制御局１０のみであってもよく、又、制御局１０の行う後述の処理を各基地局内で行うことが可能であれば当該基地局も含むものとする。要は、後述するコンテンツ毎の帯域幅の割当てや、複数のコンテンツを多重化して送信する機能を有する装置であれば、本発明の「無線通信システム」とみなすこととする。
【００１９】
本システム５０は、ネットワーク８０を介してコンテンツサーバ９０、９２に接続され、コンテンツサーバに格納されたコンテンツを無線通信端末７０に送信するようになっている。なお、無線通信端末７０は、基地局２０、２２を介して本システム５０に接続し、コンテンツサーバ９０、９２に割当てられたＩＰアドレスを適宜指定することにより、コンテンツを受信するようになっている。又、基地局２０、２２は、基地局と無線通信端末７０間に確立された接続回線の状態（後述する実伝送容量）を制御局１０に送信するようになっている。
【００２０】
なお、無線通信端末７０としては、ＣＤＭＡ（符号分割多重接続）方式あるいはＰＤＣ（Personal Digital Cellilar System）方式等の携帯電話機でネットワーク８０に接続可能な端末が該当する。なお、各端末にはコンテンツを再生可能なアプリケーションが適宜搭載される。又、ネットワーク８０としては、インターネットの代わりに、専用回線、ＬＡＮ（Local Area Network）、ＷＡＮ（Wide Area Network）等を用いてもよい。
【００２１】
次に、図２を参照して、本発明の無線通信端末７０の構成について説明する。この図において、無線データ通信手段（送信手段）７１ａは、所定のアンテナを介してデータを送受信する。チャンネルデータ分離手段（分離手段）７２ａは、受信した複数のコンテンツ（チャンネルデータ）をコンテンツ毎に分離する。又、受信したコンテンツが１つ（単一チャンネル）であれば、ＣＰＵ部７３へその旨を通知する。映像・音声分離手段７２ｂは、チャンネルデータ分離手段より受け取った、多重化されたコンテンツデータを映像情報と音声情報とに分離し、映像情報を映像復号化手段７７ａへ、音声情報を音声復号化手段７７ｂへ渡す。但し、受信したコンテンツデータが、そのストリーミングのフォーマット等に応じた音声パケットや映像パケットなどの、予め映像情報と音声情報の分離、識別ができている場合、又は、分離、識別が容易な場合、映像・音声分離手段７２ｂは、既に分離されたデータを映像復号化手段７７ａ等へ渡すだけでよい。
【００２２】
映像復号化手段７７ａ及び音声復号化手段７７ｂは、受信した各符号化データの復号化を行う。各々の符号化方式に関しては、映像であればＭＰＥＧ４やＨ．２６３といった動画像圧縮方式であっても、ＪＰＥＧなどの静止画符号化方式を用いてもかまわない。音声であれば、ＣＥＬＰ系の圧縮方式やＭＰ３やＡＡＣなどの圧縮方式でもかまわないものとする。復号化されたデータは、映像情報であれば表示手段７８に表示され、音声情報であれば音声再生手段７９から発音される。
【００２３】
一方、ＣＰＵ部（送信手段）７３は無線通信端末全体を制御し、回線状態判定手段７１ｂは回線状態（無線通信品質）を判定する。判定方法としては、例えば基地局から受信するパイロット信号からEc/Io（パイロット信号強度対全受信信号強度）を求め、以下に示す（１）式に基づいてＣＩＲ（搬送波対干渉比）を算出し、その値の大小により行うことができる。
ＣＩＲ=(Ec/lo)/(１-Ec/lo)…（１）
又、接続回線を介して時間当たり何パケットのデータが送信されたかの実績値を直接測定し、その値を回線状態とみなしてもよい。
【００２４】
メモリ７５は、受信したコンテンツデータ等の各種情報を格納し、操作部７６は、ダイヤルキー等を含み、ユーザの操作により所定の情報（コンテンツの送信要求）を入力する。表示手段７８は、搭載されるカラー若しくはモノクロ液晶ディスプレイなどからなり、受信したコンテンツの表示や無線通信端末の操作における表示を行う。音声再生手段７９は、スピーカーやイヤホン、イヤホンマイクなどのことである。
【００２５】
なお、番組予約手段７４は、ユーザーが操作部７６を介して所定のコンテンツ（番組）を予約した場合の、予約開始時間、予約終了時間、番組に該当するＵＲＬ等のアドレスやチャンネルなどの諸情報を記録する。又、番組予約手段７４は、予約開始時間になるとＣＰＵ部７３へ番組の取得（録画）開始の通知を行う。ＣＰＵ部７３は、通知に従って自動的に予約番組の送信要求を本システムに送信し、受信した番組をメモリ７５に記録する。このようにすることで、ユーザーは番組予約を行っていることを意識することがなくなる。
【００２６】
図３は、コンテンツ割当テーブル４の構成を示す図である。この図において、無線通信端末７０に対して送信するコンテンツＡ〜Ｃが記録されており、また、各コンテンツ毎に要求伝送容量と優先度が記録されている。ここで、要求伝送容量とは、無線通信端末で適切に受信及び再生がされるための最低限の通信レートであり、単位時間当たり無線通信端末に伝送されるデータ量（例えばデータ通信帯域幅（ｋｂｐｓ等））で表される。また、要求伝送容量は、予めコンテンツ毎に規定されている。特に、コンテンツがストリーミングデータである場合、要求伝送容量以上の通信レートで送信することが必要になってくる。送信レートが要求伝送容量未満になると、端末側での再生にタイムラグ等が生じるからである。
【００２７】
一方、コンテンツＢ、Ｃのように、受信時には一旦メモリに格納し、受信終了後に再生すればよい場合、必ずしも要求伝送容量を規定しなくともよい。つまり、メモリに格納されたコンテンツは、ユーザが任意のタイミングで事後的に再生すればよいので、マスターコンテンツをリアルタイムで再生（閲覧）した後で再生できるという利点がある。このように、本発明においては、マスターコンテンツとしてリアルタイム性が重要なストリーミングを送信し、スレーブコンテンツとしてそれ以外のコンテンツ（画像、楽曲データ等）を送信した場合により効果的である。
【００２８】
又、「優先度あり」とは、回線状態が低下した場合でも、上記要求伝送容量を優先的に確保するコンテンツを指定する情報である。以降の説明では、便宜上、優先度ありのコンテンツＡを「マスターコンテンツ」、優先度なしのコンテンツＢ、Ｃを「スレーブコンテンツ」と称することとする。
【００２９】
《第１の実施形態》
次に、図４及び図５を参照して、本システム（又は、制御局）と無線通信端末間での処理フローの１実施形態について説明する。
【００３０】
図４において、まず、ユーザは、無線通信端末７０を介して制御局にマスターコンテンツ（主にストリーミング）の送信要求を行う（ステップＳ１００）。この要求は、例えば操作部７６からコンテンツ及び「優先度あり」の旨を指定することで行う。（制御局の）制御手段２は、マスターコンテンツを格納したコンテンツサーバ９０にアクセスし、当該コンテンツを取得して無線通信端末７０に送信する（ステップＳ２００）。この段階では、送信するコンテンツが１つであるので、制御手段２は、マスターコンテンツにこの接続回線の実伝送容量（後述）に等しいデータ通信帯域幅（送信伝送容量）を割当て送信する。無線通信端末７０は、受信したマスターコンテンツを再生する（ステップＳ１１０）。
【００３１】
次に、マスターコンテンツに加え２つ目のコンテンツのダウンロードを希望する場合、ユーザは、無線通信端末７０を介して制御局にスレーブコンテンツ（例えば楽曲データ）の送信要求を行う（ステップＳ１２０）。
【００３２】
（制御局の）制御手段２は、送信すべきコンテンツが複数になったことを検知し、まず接続回線の状態（実伝送容量）を取得する（ステップＳ２１０）。この実伝送容量は、接続回線を介して時間当たり何パケットのデータが送信されたかの実績値であり、制御局１０が直接測定して取得してもよく、又、基地局２０、２２で測定した結果を制御局１０で取得するようにしてもよい。制御手段２は、この実伝送容量に基づき、各コンテンツに送信するための伝送容量を割当てる（ステップＳ２２０）。ここで、マスターコンテンツの要求伝送容量を優先的に確保するよう割当てを行う。例えばマスターコンテンツの要求伝送容量が３２ｋｂｐｓであり、実伝送容量が５０ｋｂｐｓであれば、３２ｋｂｐｓをマスターコンテンツの帯域幅に割当て、残りの１８ｋｂｐｓをスレーブコンテンツの帯域幅に割当てるようにする。又、実伝送容量が３２ｋｂｐｓ以下であれば、スレーブコンテンツを送信せず、マスターコンテンツのみを送信するようにする。
【００３３】
そして、制御手段２は、基地局を介して各コンテンツを無線通信端末７０にパケットとして送信する（ステップＳ２３０）。無線通信端末７０は、受信したデータを適宜分離し、マスターコンテンツを再生するとともに、スレーブコンテンツをメモリに記録する（ステップＳ１３０）。
【００３４】
以下、制御手段２は上記ステップＳ２１０〜Ｓ２３０を繰り返し、実伝送容量の現状値を逐一取得し、その都度各コンテンツに帯域幅を割当てて送信する。そして、マスターコンテンツの送信が終わると、スレーブコンテンツのみを送信する（ステップＳ２４０）。無線通信端末７０は、受信したスレーブコンテンツをメモリに記録する（ステップＳ１４０）。そして、スレーブコンテンツの送信が終わるとすべての処理が終了する（ステップＳ２５０）。
【００３５】
上記したステップＳ１００〜Ｓ１２０における無線通信端末７０での処理の詳細は、図５に示すようになっている。この図において、ステップＳ１００でマスターコンテンツの送信要求を行った後、ＣＰＵ部７３は、適宜無線通信手段７１に問い合わせて、受信したコンテンツがあるか否かを判定する（ステップＳ１０２）。ステップＳ１０２で「Ｙｅｓ」であれば、ＣＰＵ部７３は、受信データがマスターコンテンツのデータであるか否かを判定し（ステップＳ１０４）、「Ｙｅｓ」であればデータを再生し（ステップＳ１１０）、「Ｎｏ」であればデータをメモリに記録してステップＳ１０２へ戻る（ステップＳ１０６）。ここで、ステップＳ１０６は図４のステップＳ１４０と同一の処理である。
【００３６】
さらに、マスターコンテンツの受信をしている場合（ステップＳ１０４で「Ｙｅｓ」）、ＣＰＵ部７３は別のコンテンツの追加要求があったか否かを検出し（ステップＳ１１２）、「Ｙｅｓ」であればスレーブコンテンツの送信要求を行う（ステップＳ１２０）。一方、ステップＳ１０２、Ｓ１１２で「Ｎｏ」である場合、又はステップＳ１０６、Ｓ１２０を経た場合は、ステップＳ１０２へ戻る。
【００３７】
次に、図６及び図７を参照して、データ通信帯域幅の時間変化について説明する。図６は、マスターコンテンツ（コンテンツＡ）のチャンネルに優先的に３２ｋｂｐｓのデータ通信帯域幅を確保する場合のものである。なお、この例では、１つのコンテンツ（チャンネル）には、最大３２ｋｂｐｓの帯域幅（送信伝送容量）を割当てるものとする。
【００３８】
まず、時間０〜ｔ１においては、コンテンツＡの送信要求のみがされているので、コンテンツＡのチャンネルにのみ３２ｋｂｐｓの帯域幅を割当てて送信する。
【００３９】
ここで、スレーブコンテンツ（コンテンツＢ、Ｃ）の送信要求がされ、さらにコンテンツＢをＣに優先して送信する指定がされたとする。すると、時間ｔ１〜ｔ２では、コンテンツＡのチャンネルに優先的に３２ｋｂｐｓの帯域幅を割当て、残った帯域幅にコンテンツＢを割当てて送信する。さらに、次の時間ｔ２〜ｔ３で通信環境が悪化すると、コンテンツＡの帯域幅には３２ｋｂｐｓを確保して割当てるが、コンテンツＢに割当てる帯域幅を低減して送信する。一方、時間ｔ３〜ｔ４で通信環境が回復すれば、コンテンツＢに割当てる帯域幅を増加して送信する。
【００４０】
次に、時間ｔ４〜ｔ５で通信環境がさらに良好になって３チャンネル目（コンテンツＣ）の送信が可能になった場合（回線の実伝送容量が３２×３ｋｂｐｓを超えた場合）、コンテンツＡに優先的に３２ｋｂｐｓを割当て、残った帯域幅のうちコンテンツＢに３２ｋｂｐｓを割当て、さらにコンテンツＣに残りの帯域幅を割当てて送信する。そして、時間ｔ５〜ｔ６でコンテンツＡの送信が終了すると、コンテンツＢ、Ｃにそれぞれ帯域幅を割当てて送信し、さらに時間ｔ６以降でコンテンツＢの送信が終了すると、コンテンツＣに３２ｋｂｐｓを割当てて送信する。
【００４１】
図７は、各コンテンツのデータ通信帯域幅を所定の配分比（均等配分）で割当てる場合のものである。まず、時間０〜ｔ１０においては、マスターコンテンツ（コンテンツＡ）の送信要求のみがされているので、コンテンツＡに対してこの接続回線の実伝送容量一杯の帯域幅（×××ｋｂｐｓ）を割当て送信する。ここで、スレーブコンテンツ（コンテンツＢ）の送信要求があると、時間ｔ１０〜ｔ１１では、コンテンツＡとＢに実伝送容量の１/２ずつの帯域幅を割当て送信する。
【００４２】
次に、時間ｔ１１〜ｔ１２で通信環境が悪化して実伝送容量が低下すると、コンテンツＡの帯域幅はその前の時間と同一に確保し、残った帯域幅をコンテンツＢに割当てて送信する。つまり、コンテンツＢに割当てる帯域幅を低減させる。さらに、時間ｔ１２〜ｔ１３で通信環境が回復すると、コンテンツＡの帯域幅は変動させずに、コンテンツＢに割当てる帯域幅を増加して送信する。
【００４３】
ここで、３つ目のコンテンツＣ（スレーブコンテンツ）の送信要求があると、現在の（時間ｔ１３〜ｔ１４での）実伝送容量の１/３ずつの帯域幅を、各コンテンツＡ〜Ｃに割当て送信する。そして、コンテンツＡの送信が終了すると、時間ｔ１４〜ｔ１５では、コンテンツＢ、Ｃにそれぞれ実伝送容量の１/２ずつの帯域幅を割当てて送信し、さらに時間ｔ１５以降でコンテンツＢの送信が終了すると、コンテンツＣに実伝送容量一杯の帯域幅を割当てて送信する。
【００４４】
《第２の実施形態》
ところで、上記実施形態においては、スレーブコンテンツに割当てる帯域幅の増減を本システムの制御手段２で判定したが、かかる判定を無線通信端末７０側で行い、帯域幅の増減要求を本システムに通知するようにすることもできる。この場合の無線通信端末７０での処理について、図８を参照して説明する。
【００４５】
この図において、図４のステップＳ２３０と同様にして制御局がマスターコンテンツとスレーブコンテンツを送信し（ステップＳ４００）、無線通信端末はそのデータを受信して適宜再生や記録をしているとする（ステップＳ３００、図４のステップＳ１３０と同様）。ここで、無線通信端末のＣＰＵ部７３は、ユーザによりスレーブコンテンツの送信要求がされたこと（コンテンツが複数になったこと）を認識した時点で、無線通信品質管理手段７４に回線状態を問い合わせ、その結果を取得する（ステップＳ３１０）。ＣＰＵ部７３は、回線状態に応じ、所定の方法によりスレーブコンテンツに割当てる帯域幅の増減値を求め、その値による増減要求を本システムに送信する（ステップＳ３２０）。
【００４６】
（本システムの）制御手段２は、受信した増減要求に応じてスレーブコンテンツに割当てる帯域幅を増減して送信する（ステップＳ４１０）。以下、無線通信端末及び本システムは、適宜ステップＳ３１０、Ｓ３２０、Ｓ４１０の処理を繰り返し、スレーブコンテンツに割当てる帯域幅を適宜増減して送信する。
【００４７】
本発明は上記した実施形態に限られることはない。例えば、各コンテンツ毎に送信伝送容量を割当てる態様についても特に制限はなく、各コンテンツのデータ通信帯域幅の配分比を均等配分でなく、マスターコンテンツへの配分が多くなるような割合に設定してもよい。又、スレーブコンテンツの帯域幅が多くなるようにし、このコンテンツの受信を短時間で終了させるようにしてもよい。
【００４８】
なお、本発明の無線通信システムは、コンピューターと、通信装置等の各種周辺機器と、そのコンピューターによって実行されるソフトウェアプログラムとによって実現することができ、上記システム内で実行されるソフトウェアプログラムは、コンピューター読み取り可能な記憶媒体あるいは通信回線を介して配布することが可能である。
【００４９】
【発明の効果】
以上説明したように、本発明によれば、接続回線の状態に基づいて、複数のコンテンツにそれぞれ最適の送信伝送容量を割当てて無線通信端末に送信するので、接続回線の伝送容量を有効活用し、ユーザに複数のコンテンツを同時に送信することができる。
【００５０】
又、請求項２記載の無線通信システムによれば、接続回線の状態が低下した場合でも、送信伝送容量が優先して割当てられたコンテンツに対しては、品質を低下させずに送信することができる。請求項３記載の無線通信システムによれば、接続回線の状態に関わらず、所定の配分比で送信伝送容量が各コンテンツに割当てられるので、いずれのコンテンツの品質も著しく低下させずに送信することができる。
【図面の簡単な説明】
【図１】  本発明の無線通信システムの構成を示すブロック図である。
【図２】  無線通信端末の構成を示すブロック図である。
【図３】  コンテンツ割当テーブルのデータ構成を示す図である。
【図４】  無線通信システムと無線通信端末間での処理のフローを示す図である。
【図５】  無線通信端末での処理のフローを示す図である。
【図６】  データ通信帯域幅の時間変化を模式的に示す図である。
【図７】  データ通信帯域幅の時間変化を示す別の図である。
【図８】  無線通信端末での処理のフローを示す別の図である。
【符号の説明】
２                      制御手段（割当手段、送信手段）
４                      コンテンツ割当テーブル
６                      通信Ｉ/Ｆ（送信手段）
１０                    制御局
５０                    無線通信システム
７０                    無線通信端末
９０、９２              コンテンツサーバ
【図１】
0004828051.tif 000002
【図２】
0004828051.tif 000003
【図３】
0004828051.tif 000004
【図４】
0004828051.tif 000005
【図５】
0004828051.tif 000006
【図６】
0004828051.tif 000007
【図７】
0004828051.tif 000008
【図８】
0004828051.tif 000009